(57)【特許請求の範囲】
【請求項１】
内部にシート材を収納する外装シート上面の一部にシート材を引き出すための取り出し口を形成するとともに、取り出し口を被覆する開閉蓋を感圧接着剤を介して外装シート上面の外側面に貼着した携帯用シート材包装具において、
外装シート上面の内側面に当接する第１面と外装シート内に収納されたシート材の最上面に当接する第２面とをシート材の厚さ方向について所定の間隔を設けて互いに平行に配置したスペーサであって、第２面に外装シートの取り出し口に対向する孔部を形成したスペーサを設け、
前記スペーサの第１面は、外装シート内に収納されるシート材より大きく外装シート上面より小さい平面形状を呈し、平面内に第２面が一体的に形成され、周囲にシート材の厚さ方向における外装シートの上面と下面との間隔に一致する側面部が形成され、平面内の中央部に前記第２面が形成されているとともに、平面内の角部近傍にシート材の厚さ方向について第２面と同一面上に位置する第３面が形成されていることを特徴とする請求項１に記載の携帯用シート材包装具。
【請求項２】
前記孔部は、第２面の平面方向において周縁部の略全周が取り出し口の開口範囲内に位置することを特徴とする請求項１に記載の携帯用シート材包装具。
【発明の詳細な説明】
【０００１】
【発明の属する技術分野】
この発明は、複数枚のシート材を１枚ずつ取り出せるようにして収納する携帯用シート材包装具に関し、特に、液体を含浸又は塗布することによって湿潤にされたシート材を収納する携帯用シート材包装具に関する。
【０００２】
【従来の技術】
ティッシュ等のシート材を外出先で使用する際の利便性を考慮して、所定の大きさに折り畳んだ状態の複数枚のシート材を収納し、このシート材を一枚ずつ取り出せるようにした携帯用シート材包装具がある。このような携帯用シート材包装具として、液体を含浸又は塗布することによって湿潤にされたシート材を収納するようにしたものもある。シート材に含浸又は塗布される薬剤としては、殺菌消毒用の薬剤、又は、皮膚の汚れを拭き取る化粧料等がある。
【０００３】
湿潤な複数枚のシート材を収納する携帯用シート材包装具は、複数枚のシート材を１枚ずつ取り出せるように収納しておくだけでなく、内部に収納したシート材からの液体の蒸発を防止してシート材の湿潤な状態を維持できるようにしなければならない。
【０００４】
そこで、従来の携帯用シート材包装具では、気密性を有する外装シートを積層した状態の複数枚のシート材の周囲を包囲できる形状に形成し、外装シートにおいて最上面のシート材に対向する面にシート材を引き出すための取り出し口を設け、この取り出し口を感圧接着剤を介して気密性フィルムからなる開閉蓋により繰り返し開閉自在に被覆したものがある。開閉蓋は、感圧接着剤によって外装シートの表面における取り出し口の周囲に貼着する。
【０００５】
特に、特公平２−３０９４８号公報には、気密性を有する１枚のシート材（以下、外装シートという。）で形成されたほぼ四角形の封入袋であって、該封入袋はその内部に湿潤したシート状繊維素材（以下、シート材という。）が入った状態でセンターシール部および両端シール部によって密封されており、前記センターシール部と対向する封入袋の他面に、取り出し口を形成するための切離し用切込み部があり、該切込み部を覆って気密性フィルムよりなる開閉蓋が設けられ、該開閉蓋の封入袋側の面にはほぼ全面的に感圧接着剤層が形成されており、開閉蓋が感圧接着剤によって封入袋に貼着している化粧料封入袋の構成が開示されている。
【０００６】
この構成により、封入袋の取り出し口を形成するための切離し用切込みは、消費者が封入袋を初めて使用する際に、開閉蓋を開けるとともに切込み部から封入袋の一部が破れるようにしたので、切込み部は初期使用時における封緘機能を具備する。切込み部から切り離された外装シートの一部は開閉蓋の感圧接着剤に貼着し、そして開閉蓋を閉じた際に再び元の位置に戻って、取り出し口をぴったり封鎖する。したがって、開閉蓋を閉じた場合でも、感圧接着剤が内容物に悪影響を及ぼすことがない。さらに、切り離された外装シートの一部と開閉蓋との両者によって取り出し口を塞ぐので密封性が非常によい。したがって、繰返し開閉したり、一度使用した後に開閉蓋を閉めた状態で長期間経ても、シート材に含ませた液が蒸発してしまうこともない、とされている。
【０００７】
【発明が解決しようとする課題】
しかしながら、従来の携帯用シート材包装具では、内部に収納されている湿潤なシート材と外装シートにおいて取り出し口が形成されている面（以下、外装シート上面という。）の内側面との接触を規制するようにしたものがなかった。このため、シート材に含浸又は塗布された液体が外装シート上面の内側面、及び、開閉蓋の内側面に付着した後、さらに取り出し口の周縁部から外装シート上面の外側面と開閉蓋の内側面との間に浸入し、外装シートの外側面に漏出する問題がある。
【０００８】
また、シート材に含浸又は塗布された液体が外装シート上面の外側面と開閉蓋の内側面との間に浸入する結果、この間に位置する感圧接着剤による外装シート上面の外側面への開閉蓋の内側面の貼着状態が損なわれ、開閉蓋によって取り出し口の密封状態を維持することができなくなり、外装シートの外側面への液体の漏出が助長されるとともに、シート材に含浸又は塗布された液体の蒸発を防止することができない問題がある。特に、シート材に油性液体が含浸されている場合には、液体の付着によって感圧接着剤の接着力が失われ易く、開閉蓋による取り出し口の密封状態の維持がさらに困難になる。
【０００９】
この問題は、特公平２−３０９４８号公報に開示されている構成においても生じ得る。即ち、封入袋を構成する外装シート自体が可撓性を有するため、最初に開閉蓋を開けた際に切込み部から切り離されて開閉蓋の感圧接着剤に貼着した外装シートの一部が、開閉蓋を閉じた際に再び元の位置に戻って取り出し口をぴったり封鎖するとは限らず、切込み部から切り離された外装シートの一部の周縁部と取り出し口の周縁部との間に隙間が形成される可能性が高い。切込み部から切り離された封入袋の一部の周縁部と取り出し口の周縁部との間に少しでも隙間があると、シート材との接触によって外装シート上面の内側面、及び、開閉蓋の内側面に付着した液体が、この隙間から外装シート上面の外側面と開閉蓋の内側面との間を経由して外装シートの外側面に漏出する。
【００１０】
この発明の目的は、内部に収納されている湿潤なシート材と外装シート上面の内側面との接触を確実に規制することにより、シート材に含浸又は塗布された液体が外装シート上面の内側面、及び、開閉蓋の内側面に付着した後に取り出し口の周縁部から外装シート上面の外側面と開閉蓋の内側面との間に浸入しないようにし、感圧接着剤による外装シート上面の外側面への開閉蓋の内側面の貼着状態が損なわれることがなく、開閉蓋によって取り出し口の密封状態を維持することができ、外装シートの外側面への液体の漏出、及び、シート材が含浸している液体の蒸発を確実に防止することができる携帯用シート材包装具を提供することにある。
【００１１】
【課題を解決するための手段】
この発明は、上記の課題を解決するための手段として、以下の構成を備えている。
【００１２】
（１）内部にシート材を収納する外装シート上面の一部にシート材を引き出すための取り出し口を形成するとともに、取り出し口を被覆する開閉蓋を感圧接着剤を介して外装シート上面の外側面に貼着した携帯用シート材包装具において、
外装シート上面の内側面に当接する第１面と外装シート内に収納されたシート材の最上面に当接する第２面とをシート材の厚さ方向について所定の間隔を設けて互いに平行に配置したスペーサであって、第２面に外装シートの取り出し口に対向する孔部を形成したスペーサを設け、
前記スペーサの第１面は、外装シート内に収納されるシート材より大きく外装シート上面より小さい平面形状を呈し、平面内に第２面が一体的に形成され、周囲にシート材の厚さ方向における外装シートの上面と下面との間隔に一致する側面部が形成され、平面内の中央部に前記第２面が形成されているとともに、平面内の角部近傍にシート材の厚さ方向について第２面と同一面上に位置する第３面が形成されていることを特徴とする。
【００１３】
この構成においては、外装シートの内部で、外装シート上面の内側面にスペーサの第１面が当接し、シート材の厚さ方向について第１面に対して所定の間隔が与えられた第２面が孔部を外装シートの取り出し口に対向させた状態で外装シート内に収納されたシート材の最上面に当接する。
【００１４】
したがって、外装シート上面の内側面とシート材の最上面との間にはシート材の厚さ方向についてスペーサの第１面と第２面との間隔に匹敵する間隔が形成され、外装シート上面の内側面にシート材の最上面が接触することがない。このため、外装シート内に液体が含浸又は塗布された湿潤なシート材を収納した場合にも、シート材に含浸又は塗布された液体が外装シート上面の内側面に付着した後に取り出し口を経由して外装シート上面の外側面に漏出することがない。また、外装シート内に収納されたシート材は、第２面に形成された孔部を経由して取り出し口から外装シートの外部に取り出される。
【００１６】
また、第２面を含む第１面の平面がシート材の最上面の全面に対向する状態でスペーサが外装シート内に収納されたシート材に外装シート上面方向から被せられる。したがって、外装シート内に収納されたシート材の上面及び側面と外装シートの内側面との間にスペーサが位置し、外装シート上面の内側面に対するシート材の接触がより確実に規制される。
【００１８】
さらに、外装シート内に収納されたシート材の最上面における中央部及び角部近傍に、シート材の厚さ方向について互いに同一面上に位置するスペーサの第２面及び第３面が当接する。したがって、スペーサの第１面が当接する外装シート上面の内側面とシート材の最上面との間隔がシート材の最上面における中央部及び角部近傍において維持され、外装シート上面の内側面に対するシート材の接触がより確実に規制される。
【００１９】
（２）前記孔部は、第２面の平面方向において周縁部の略全周が取り出し口の開口範囲内に位置することを特徴とする。
【００２０】
この構成においては、スペーサの第２面に形成された孔部の開口面積が外装シートの取り出し口の開口面積より小さくされる。したがって、外装シートから取り出されるシート材は、取り出し口よりも小さい開口面積の孔部を経由し、取り出し口を通過する際に外装シート上面の内側面に接触することがない。また、外装シートが液体が含浸又は塗布された湿潤なシート材である場合に、外装シートから取り出されるシート材は、孔部を通過する際に孔部の周縁部で扱かれ、余剰の液体が除去される。
【００２１】
【発明の実施の形態】
図１は、この発明の実施形態に係る携帯用シート材包装具の外観図である。携帯用シート材包装具１０は、袋状に形成された外装シート１の内部に、個別に折り畳まれたシート材を複数枚積層して収納する。シート材は薬品や化粧料等の液体が含浸又は塗布され、湿潤な状態にされている。外装シート１は、気密性を有する可撓性材料によって形成されており、上面（外装シート上面）１ａに小判型の取り出し口２を備え、この取り出し口２を開閉蓋３によって被覆して構成されている。
【００２２】
開閉蓋３は、可撓性を有する気密性フィルムを素材として形成されており、下面の中央部において取り出し口２に対向する。開閉蓋３の下面において少なくとも取り出し口２に対向する部分を除く範囲には、感圧接着材を塗布した感圧接着剤層が形成されている。開閉蓋３の下面において少なくとも取り出し口２に対向する部分を除く範囲は、感圧接着剤によって外装シート上面１ａに貼着する。感圧接着剤は、繰り返し接着力を発揮するため、開閉蓋３は外装シート上面１ａから一旦剥がされた後においても再び外装シート１の上面に貼着する。これによって、外装シート上面１ａにおいて取り出し口２は開閉蓋３によって開閉自在に塞がれている。
【００２３】
開閉蓋３は外装シート１とともに気密性を有するため、外装シート上面１ａに貼着した状態では、外装シート１の内部は外部に対して気密状態にされる。したがって、外装シート１内に収納されたシート材に含浸又は塗布されている液体の蒸発が防止され、シート材の湿潤状態が維持される。
【００２４】
図２は、上記携帯用シート材包装具の構成を示す断面図ある。また、図３は、上記携帯用シート材包装具に使用されるスペーサの外観図である。携帯用シート材包装具１０において外装シート１の内部には、それぞれが個別に折り畳まれた複数枚の湿潤なシート材２０とともに、スペーサ４が収納されている。図３に示すように、スペーサ４は、薄肉の樹脂成形品であり、上面である第１面４ａの中央部に陥没した第２面４ｂが形成され、各角部近傍に陥没した第３面４ｃが形成され、周囲からは側面４ｄが下方に延出している。
【００２５】
スペーサ４において、第２面４ｂ及び第３面４ｃを含む第１面４ａの平面形状は、折り畳んだ状態のシート材２０よりも大きく、かつ、外装シート上面１ａよりも小さいシート材２０の平面形状の相似形を呈している。第２面４ｂ及び第３面４ｃは、第１面４ａから陥没して形成されているためにシート材２０の厚さ方向について第１面４ａよりも下方に位置しており、シート材２０の厚さ方向における同一面内に位置している。側面４ｄは、シート材２０の厚さ方向について第２面４ｂ及び第３面４ｃとの距離が外装シート１内に収納される複数枚のシート材の全厚さに匹敵する位置まで、外装シート上面１ａの内側面から離間する方向に延出している。
【００２６】
第２面４ｂには、外装シート１の取り出し口３に対向する孔部５が形成されている。孔部５は、小判型の開口部であって、長手方向の中央部において部分円弧により開口幅が拡大された形状を呈している。孔部５の周縁部は、第２面４ｂの平面方向について、略全周にわたって取り出し口３の開口範囲内に位置している。スペーサ４の第１面４ａにおいて、第２面４ｂを陥没させて形成するための傾斜面４ｅの周囲には、全周にわたって溝部４ｆが形成されている。
【００２７】
スペーサ４が上記のように構成されているため、図２に示すように、所定枚数のシート材２０は上側からスペーサ４によって覆われた状態で外装シート１内に収納される。このとき、スペーサ４の第１面４ａが外装シート上面１ａの内側面に当接する一方、スペーサ４の第２面４ｂ及び第３面４ｃがシート材２０の最上面に当接する。また、スペーサ４の側面４ｄが、シート材２０の側面に対向する。
【００２８】
したがって、外装シート１内に収納された複数枚のシート材２０と外装シート上面１ａの内側面との間にはスペーサ４が位置し、シート材２０の最上面と外装シート上面１ａの内側面とはシート材２０の厚さ方向について第１面４ａと第２面４ｂ及び第３面４ｃとの間隔だけ離間している。このため、シート材２０が外装シート上面１ａの内側面に直接接触することがなく、シート材２０に含浸又は塗布された液体が外装シート上面１ａの内側面に付着した後に取り出し口２の周縁部から外装シート上面１ａの外側面と開閉蓋３の下面との間を経由して外装シート１の外部に漏出することがない。
【００２９】
また、開閉蓋３の下面に形成されている感圧接着剤層がシート材２０に含浸又は塗布された液体によって濡れることがなく、開閉蓋３による外装シート１内の密封状態が堅牢に維持される。この結果、シート材２０に含浸又は塗布された液体の外装シート１の外部への漏出が助長されることもなく、外装シート１内に収納されたシート材２０が乾燥することもない。
【００３０】
シート材２０の厚さ方向についてのスペーサ４における第１面４ａと第２面４ｂ及び第３面４ｃとの間隔は、外装シート１の内部に収納されたシート材２０の最上面を外装シート上面１ａの内側面に接触させないために必要かつ十分な間隔として実験的に決定することがてきる。例えば、外装シート１内に収納される所定枚数のシート材２０の全厚さが７ｍｍで、１００ｍｍ×７５ｍｍの矩形に折り畳まれている場合には、第１面４ａと第２面４ｂ及び第３面４ｃとの間隔は６ｍｍ程度にされる。
【００３１】
外装シート１からシート材２０を取り出す際には、開閉蓋３の一部を外装シート上面１ａから剥がして取り出し口２を露出させ、取り出し口２から外装シート１内に挿入した手指をスペーサ４の孔部５内に差し入れてシート材２０の一部を摘み、手指とともにシート材２０を孔部５及び取り出し口３を経由して外部に引き出す。
【００３２】
このとき、孔部５の開口範囲は取り出し口３の開口範囲内に位置しているため、シート材２０は開口範囲の狭い孔部５から開口範囲の広い取り出し口３を経由して外部に引き出される。したがって、シート材２０が取り出し口３の周縁部に接触する可能性が低く、取り出し中のシート材２０に含浸又は塗布された液体が外装シート１に付着し難い。また、シート材２０は外部に引き出される際に開口面積が比較的狭い孔部５の周縁部を介して扱かれ、余剰の液体がシート材２０から除去される。これによって、取り出し中のシート材２０に含浸又は塗布された液体が外装シート１にさらに付着し難くなる。
【００３３】
孔部５は、中央部において開口幅が拡大されているため、取り出し中のシート材２０が取り出し口２に接触しないようにし、かつ、取り出し中のシート材２０を孔部５の周縁部を介して扱くために、孔部５の中央部以外の部分の開口幅を十分に狭くしても、中央部において手指を差し込むことができる。
【００３４】
スペーサ４において、第１面４ａの中央部には溝部４ｆが形成されているため、スペーサ４を薄肉形状に形成しても十分な強度を確保できる。特に、溝部４ｆの内側の凸部をシート材２０の厚さ方向について第１面４ａよりも下方に位置させることにより、外装シート１内に収納されるシート材２０に多量の液体が含浸又は塗布されている場合に、携帯用シート材包装具１０の搬送中にシート材２０から漏出した液体が孔部５を経由して第２面４ｂ及び傾斜面４ｅに達しても、その後に溝部４ｆに溜まって第１面４ａに達することがなく、外装シート上面１ａの内側面に付着することを防止できる。
【００３５】
スペーサ４の素材には、成形容易性や経済性を考慮して種々の樹脂を使用することができるが、その選択に際してはシート材２０に含浸される液体の特性をも考慮すべきである。例えば、シート材２０に油性液体が含浸される場合には、スペーサ２０の素材には耐油性を備えた樹脂素材を用いる。
【００３６】
【発明の効果】
この発明によれば、以下の効果を奏することができる。
【００３７】
（１）外装シートの内部において、外装シート上面の内側面にスペーサの第１面を当接させ、シート材の厚さ方向について第１面に対して所定の間隔を与えた第２面を孔部を外装シートの取り出し口に対向させた状態で外装シート内に収納されたシート材の最上面に当接させることにより、外装シート上面の内側面とシート材の最上面との間にシート材の厚さ方向についてスペーサの第１面と第２面との間隔に匹敵する間隔を形成し、外装シート上面の内側面にシート材の最上面が接触しないようにして、外装シート内に液体が含浸又は塗布された湿潤なシート材を収納した場合にも、シート材に含浸又は塗布された液体が外装シート上面の内側面に付着した後に取り出し口を経由して外装シート上面の外側面に漏出することを防止できる。また、開閉蓋の下面に塗布されている感圧接着剤がシート材２０に含浸又は塗布された液体によって濡れることを防止でき、開閉蓋による外装シート内の密封状態を堅牢に維持することができる。この結果、シート材に含浸又は塗布された液体の外装シートの外部への漏出を助長することがなく、外装シート内に収納されたシート材の乾燥を防止することもできる。
【００３８】
（２）第２面を含む第１面の平面がシート材の最上面の全面に対向する状態でスペーサを外装シート内に収納されたシート材に外装シート上面方向から被せることにより、外装シート内に収納されたシート材の上面及び側面と外装シートの内側面との間にスペーサを位置させ、外装シート上面の内側面に対するシート材の接触をより確実に規制することができる。
【００３９】
（３）外装シート内に収納されたシート材の最上面における中央部及び角部近傍に、シート材の厚さ方向について互いに同一面上に位置するスペーサの第２面及び第３面を当接させることにより、スペーサの第１面が当接する外装シート上面の内側面とシート材の最上面との間隔をシート材の最上面における中央部及び角部近傍において維持することができ、外装シート上面の内側面に対するシート材の接触をより確実に規制することができる。
【００４０】
（４）スペーサの第２面に形成された孔部の開口面積を外装シートの取り出し口の開口面積に比較して小さくすることにより、外装シートから取り出されるシート材が取り出し口を通過する際に外装シート上面の内側面に接触しないようにすることができる。また、外装シートが液体が含浸又は塗布された湿潤なシート材である場合に、外装シートから取り出されるシート材を、孔部を通過する際に孔部の周縁部で扱き、余剰の液体を除去することができる。
【図面の簡単な説明】
【図１】この発明の実施形態に係る携帯用シート材包装具の外観図である。
【図２】同携帯用シート材包装具の断面図である。
【図３】同携帯用シート材包装具に使用されるスペーサの外観図である。
【符号の説明】
１−外装シート
１ａ−外装シート上面
２−取り出し口
３−開閉蓋
４−スペーサ
４ａ−第１面
４ｂ−第２面
４ｃ−第３面
４ｄ−側面
５−孔部
１０−携帯用シート材包装具
２０−シート材
【図１】
0003995975.tif 000002
【図２】
0003995975.tif 000003
【図３】
0003995975.tif 000004